(57)【要約】      （修正有）【課題】キーシリンダーを番号の異なる別のキーシリンダーに容易に変更することができるキー操作部を備えたハンドル装置を提供する。【解決手段】開閉可能な扉に設けられるハンドル本体部１２と、該ハンドル本体部１２に設けられ、扉の開閉を行うためのハンドルレバー部１３と、該ハンドルレバー部１３に取り付けられ、上記扉の施開錠を行うためのキー操作部とからなるハンドル装置１１において、ハンドルレバー部１３をハンドル本体部１２に係止されたハンドルレバー支持部材１３ａと、上記キー操作部を埋設したハンドルレバー１３ｂ交換部材とに分割する。【選択図】図１
0003151062.tif 000002
【実用新案登録請求の範囲】
【請求項１】
開閉可能な扉に設けられるハンドル本体部と、該ハンドル本体部に設けられ、扉の開閉を行うためのハンドルレバー部と、該ハンドルレバー部に取り付けられ、上記扉の施開錠を行うためのキー操作部とからなるハンドル装置において、
上記ハンドルレバー部は、上記ハンドル本体部に係止されたハンドルレバー支持部材と、
上記キー操作部を埋設したハンドルレバー交換部材とからなることを特徴とするハンドル装置。
【請求項２】
上記ハンドルレバー支持部材は一方の側にアリミゾ部を設け、上記ハンドルレバー交換部材は一方の側に上記アリミゾ部に対応するアリガタ部を設けることを特徴とする請求項１に記載のハンドル装置。
【請求項３】
上記ハンドルレバー支持部材と上記ハンドルレバー交換部材とを固定する固定手段を設けることを特徴とする請求項２に記載のハンドル装置。
【請求項４】
上記固定手段はネジ又はプランジャー又は弾性体である請求項３に記載のハンドル装置。
【考案の詳細な説明】
【技術分野】
【０００１】
この考案は、キュービクル、キャビネット、ラックなどの筐体の扉に取り付けられるハンドル装置、特にキー操作部を備えるハンドル装置に関する。
【背景技術】
【０００２】
従来より、この種のキー操作部を備えたハンドル装置はよく知られており、例えば図６に示すように、ハンドル装置１は、扉に取り付けられるハンドル本体部２と、ハンドルレバー部３と、ハンドルレバー部３の下端部に埋設されたキー操作部であるキーシリンダー４とから構成されている。図７はこのハンドル装置１を電源装置等の筐体の扉に取り付けたもの（例えば、特許文献１参照）で、５は筐体の前面の枠体、６は開閉可能な扉である。ハンドル装置１は左側単部に設けられ、扉６は右側単部において、上下方向に伸びる軸回りに回動可能に取り付けられている。扉６の開閉にあたっては、ハンドルレバー部３の下端部付近を掴み、上端部を支点として引き上げ、ハンドル装置１を外側方向に引くか、内側方向に押動して扉６を回動させる。
【先行技術文献】
【特許文献】
【０００３】
【特許文献１】特開２００２−３５７０３５号公報（第５頁、図５）
【考案の概要】
【考案が解決しようとする課題】
【０００４】
ところで、キーシリンダー４を備えたハンドル装置１は、使用者が管理する上でセキュリティー保持のため、番号の異なるキーシリンダー４に時々変更したい場合がある。キーシリンダー４を交換すればよいが、上記従来のハンドル装置１では、キーシリンダー４そのものの着脱は困難なように造られている。したがって、ハンドル装置１を取り外し、別のハンドル装置を取り付けなければならない。その着脱は煩わしく、ハンドル装置１の交換は高価なものとなっていた。
この考案は、上記の欠点を解決するためになされたものであり、その目的はキーシリンダーを番号の異なる別のキーシリンダーに容易に変更することができるキー操作部を備えたハンドル装置を提供するものである。
【課題を解決するための手段】
【０００５】
上記の目的を達成するために、請求項１の考案は、開閉可能な扉に設けられるハンドル本体部と、該ハンドル本体部に設けられ、扉の開閉を行うためのハンドルレバー部と、該ハンドルレバー部に取り付けられ、上記扉の施開錠を行うためのキー操作部とからなるハンドル装置において、上記ハンドルレバー部を上記ハンドル本体部に係止されたハンドルレバー支持部材と、上記キー操作部を埋設したハンドルレバー交換部材とに分割する。
請求項２の考案は、請求項１の考案において、上記ハンドルレバー支持部材は一方の側にアリミゾ部を設け、上記ハンドルレバー交換部材は一方の側に上記アリミゾ部に対応するアリガタ部を設ける。
請求項３の考案は、請求項２の考案において、上記ハンドルレバー支持部材と上記ハンドルレバー交換部材とを固定する固定手段を設ける。
請求項４の考案は、請求項３の考案において、固定手段はネジ又はプランジャー又は弾性体とするものである。
【考案の効果】
【０００６】
この考案は、請求項１の考案によれば、ハンドルレバー交換部材を交換するだけで、番号の異なるキーシリンダーに対応することができる。
請求項２の考案によれば、ハンドルレバー交換部材を差し換えるだけで、簡単に交換することができる。
請求項３の考案によれば、上記ハンドルレバー支持部材と上記ハンドルレバー交換部材とを確実に固定することができる。
請求項４の考案によれば、簡単な方法で上記ハンドルレバー支持部材と上記ハンドルレバー交換部材とを確実に固定することができる。
【図面の簡単な説明】
【０００７】
【図１】この考案の実施例１に関わるハンドル装置の正面図と断面図である。
【図２】図１に示すハンドル装置のハンドルレバーを上に引き上げた斜視図である。
【図３】図１に示すハンドル装置のハンドルレバーをハンドルレバー支持部材とハンドルレバー交換部材とに分離した斜視図である。
【図４】この考案の実施例２に関わるハンドル装置のハンドルレバーの正面図と断面図である。
【図５】図４のハンドル装置のハンドルレバーをハンドルレバー支持部材とハンドルレバー交換部材とに分離した斜視図である。
【図６】従来のハンドル装置を示す正面図と断面図である。
【図７】従来のハンドル装置を筐体の扉に取り付けた図である。
【考案を実施するための形態】
【０００８】
ハンドルレバー部をハンドルレバー支持部材とキー操作部を埋設したハンドルレバー交換部材の２つに分割し、キーシリンダーを埋設したハンドルレバー交換部材の交換を容易にする。
以下、この考案のハンドル装置の実施例の形態を、図面を参照しながら詳細に説明する。
【実施例１】
【０００９】
図１は、この考案の実施例に係わるハンドル装置を示すものである。図１において、ハンドル装置１１のハンドル本体部１２は扉に取り付けられ、ハンドルレバー１３は図２、図３に示すように上端部で矢印の向きに回動可能なように係止されている。ハンドルレバー１３はこの上端部を支点として引き上げられ、引き上げられたハンドルレバー１３を把持して手前に引くか、押すことにより扉が回動し、扉を開閉することができる。
【００１０】
ハンドルレバー１３はハンドルレバー支持部材１３ａとハンドルレバー交換部材１３ｂの２つの部分に分割され、ハンドルレバー交換部材１３ｂにはキー操作部であるキーシリンダー１４が埋設されている。ハンドルレバー支持部材１３ａの裏側１３ｃには図１のＢ−Ｂ断面図に示すような台形状のアリミゾ部１５が設けられ、ハンドルレバー交換部材１３ｂの一端にはそのアリミゾ部１５に対応するように断面が台形状のアリガタ部１６が設けられている。このアリガタ部１６には更にネジ穴１７が設けられ、図１のＡ−Ａ断面図に示すようにハンドルレバー支持部材１３ａとハンドルレバー交換部材１３ｂは、このネジ穴１７を通してハンドルレバー支持部材１３ａの裏側１３ｃからイモネジにより確実に固定される。なお、図１のＡ−Ａ断面図において、ハンドルレバー支持部材１３ａの回動支点となる上端部及びハンドルレバー交換部材１３ｂのキーシリンダー１４の部分の詳細な図は省略されている。
【００１１】
上記構成からなる本考案のハンドル装置において、キーシリンダーを番号の異なる別のキーシリンダーに変更するための操作を以下に説明する。
まず、ハンドルレバー部１３の下端部付近を掴み、上端部を支点として引き上げ、ネジ穴１７に取り付けられたイモネジをハンドルレバー支持部材１３ａの裏側１３ｃから外し 、ハンドルレバー支持部材１３ａとハンドルレバー交換部材１３ｂの２つの部分が分離できる状態にする。次に、ハンドルレバー交換部材１３ｂをハンドルレバー支持部材１３ａのアリミゾ部１５に沿って、アリガタ部１６を引き抜き、ハンドルレバー交換部材１３ｂを取り外す。その後、番号の異なるキーシリンダーを有する別のハンドルレバー交換部材１３ｂを取り出し、そのハンドルレバー交換部材１３ｂのアリガタ部１６をハンドルレバー支持部材１３ａのアリミゾ部１５に沿って差込み、ネジ穴１７を通してイモネジで固定する。なお、イモネジの代わりに他のネジやプランジャーを使用することができる。
【実施例２】
【００１２】
図４、図５は、この考案の他の実施例に係わるハンドル装置を示すもので、ハンドルレバー部１３のみを示す。ハンドルレバー支持部材１３ａの裏側１３ｃには図４のＣ−Ｃ断面図に示すようなアリミゾ部１５が設けられ、ハンドルレバー交換部材１３ｂの一端にはそのアリミゾ部１５に対応するようにアリガタ部１６が設けられている。このアリガタ部１６にはスリワリ１８と突起１９が設けられ、スリワリ１８はアリガタ部の中央片２０を側片２１から分離し、中央片２０は側片２１より若干厚みが薄くなっている。この薄くなった厚みで突起１９により中央片２０の変形が生じ、弾性体が形成される。突起１９はハンドルレバー支持部材１３ａ側のアリミゾ部１５内に設けられた凹みと連係し、ハンドルレバー交換部材１３ｂの抜けを防止している。この構成により、実施例１で示したイモネジ等の固定部品が不要となる。なお、図４のＣ−Ｃ断面図において、ハンドルレバー交換部材１３ｂのキーシリンダー１４の部分の詳細な図は省略されている。
【００１３】
上記構成からなる本考案のハンドル装置において、キーシリンダーを番号の異なる別のキーシリンダーに変更するための操作を以下に説明する。
まず、ハンドルレバー部１３の下端部付近を掴み、上端部を支点として引き上げ、ハンドルレバー交換部材１３ｂをハンドルレバー支持部材１３ａのアリミゾ部１５に沿って引き抜く。このとき、突起１９とアリミゾ部１５に設けた凹みとが弾性力により係止しているので、この弾性力に抗してアリガタ部１６を引き抜き、ハンドルレバー交換部材１３ｂを取り外す。その後、番号の異なるキーシリンダーを有する別のハンドルレバー交換部材１３ｂを取り出し、そのハンドルレバー交換部材１３ｂのアリガタ部１６をハンドルレバー支持部材１３ａのアリミゾ部１５に沿って差込む。この際、突起があるため中央片は反対側に曲げられるが、これに抗して差し込むことにより、突起１９とアリミゾ部１５に設けられた凹みとが連係し、固定される。
以上のように、この考案はハンドルレバー交換部材を交換するだけで、キーシリンダーを番号の異なる別のキーシリンダーに容易に変更することができ、経済的である。
なお、この考案は、上記実施例のハンドル装置に限定されるものではなく、例えばハンドルレバー支持部材のアリミゾ部は台形以外の形状とすることができる。また、アリガタ部の中央片に限らず、側片でも弾性体を形成することができる。
【符号の説明】
【００１４】
１，１１  ハンドル装置
２，１２  ハンドル本体部
３，１３  ハンドルレバー部
４，１４  キーシリンダー
１３ａ  ハンドルレバー支持部材
１３ｂ  ハンドルレバー交換部材
１５  アリミゾ部
１６  アリガタ部
１８  スリワリ
１９  突起
【図１】
0003151062.tif 000003
【図２】
0003151062.tif 000004
【図３】
0003151062.tif 000005
【図４】
0003151062.tif 000006
【図５】
0003151062.tif 000007
【図６】
0003151062.tif 000008
【図７】
0003151062.tif 000009